(57)【特許請求の範囲】
【請求項１】
蒸気を発生させるボイラと、
前記ボイラで発生した蒸気で駆動される蒸気タービンと、
前記蒸気タービンから排気された蒸気を水に戻す復水器と、
前記復水器から前記ボイラに水を供給する給水ラインと、
前記復水器に水を補給する補給水供給部と、
前記給水ライン中にアンモニアを注入する薬液注入部と、
前記ボイラから排出されたブロー水を前記補給水供給部に戻すリサイクルラインと、
前記補給水供給部内の水を、前記リサイクルラインに混入する減温水ラインと、
を備える蒸気タービンプラント。
【請求項２】
蒸気を発生させるボイラと、
前記ボイラで発生した蒸気で駆動される蒸気タービンと、
前記蒸気タービンから排気された蒸気を水に戻す復水器と、
前記復水器から前記ボイラに水を供給する給水ラインと、
前記復水器に水を補給する補給水供給部と、
前記給水ライン中にアンモニアを注入する薬液注入部と、
前記ボイラから排出されたブロー水を前記補給水供給部に戻すリサイクルラインと、
前記補給水供給部内の水を冷却する冷却部と、
を備える蒸気タービンプラント。
【請求項３】
前記補給水供給部内の水を、前記リサイクルラインに混入する減温水ラインを備える請求項２に記載の蒸気タービンプラント。
【請求項４】
前記ボイラから排出されたブロー水が流入するフラッシュタンクを更に備え、
前記リサイクルラインは、
前記ボイラから前記フラッシュタンクにブロー水を送るブロー水ラインと、
前記フラッシュタンク内のブロー水を、前記フラッシュタンクから前記補給水供給部に送るリサイクル主ラインと、
を備える請求項１から請求項３のいずれか一項に記載の蒸気タービンプラント。
【請求項５】
前記復水器から前記ボイラに供給される水のｐＨ値を計測する計測部と、
前記計測部によって計測されたｐＨ値が予め定められた範囲内に収まるように、前記アンモニアの注入量を制御する制御部と、
を備える請求項１から請求項４のいずれか一項に記載の蒸気タービンプラント。
【請求項６】
前記ボイラで発生した蒸気を、前記蒸気タービン以外の外部設備に供給する蒸気取出ラインと、
前記リサイクルライン上に設けられて、前記リサイクルラインを通る水を純水化する純水化装置と、
を備える請求項１から請求項５のいずれか一項に記載の蒸気タービンプラント。
【発明の詳細な説明】
【技術分野】
【０００１】
本発明は、蒸気タービンプラントに関する。
【背景技術】
【０００２】
蒸気タービンプラントでは、給水系統や復水系統を構成する配管の材料として、炭素鋼や銅が使用される場合が多い。炭素鋼は水中においてｐＨ値が低いほど、銅は水中においてｐＨ９．４以上になると腐食が進行する傾向にある。したがって、給水系統や復水系統における配管の腐食を回避するために、例えば、給水系統を炭素鋼の配管で構成した場合には、流れ加速腐食（ＦＡＣ：Ｆｌｏｗ  Ａｃｃｅｌｅｒａｔｅｄ  Ｃｏｒｒｏｓｉｏｎ）の抑制の観点から、ｐＨ９．８以上に調整することが望ましい。具体的には、給水にアンモニア、あるいはヒドラジンを注入してｐＨ調整を行う。
【０００３】
このような蒸気タービンプラントにおいては、定期的に水を補給するとともに、不要な水を系外にブロー（排出）する運用を行うことが一般的である。例えば、ボイラ起動時のスウェリング防止のために水を系外に排出している。また、系統中を流れる水中に注入した薬液に由来する不純物質が発生すると水質が悪化するので、不純物質の濃縮を防ぐために、ボイラ等から水を系外に排出している。
【０００４】
このような技術の一例として、特許文献１に記載されたボイラプラントが知られている。特許文献１に記載されたボイラプラントでは、ボイラと復水器との間にフラッシュタンクが設けられている。系統中から排出された水はフラッシュタンク内で気水分離され、分離された蒸気は復水器に戻され、蒸気以外の液相成分はドレン管を通じて排水として系外に排出される構成を採っている。
【先行技術文献】
【特許文献】
【０００５】
【特許文献１】特開平１０−１６９９０７号公報
【発明の概要】
【発明が解決しようとする課題】
【０００６】
しかしながら、上記特許文献１に記載された技術では、フラッシュタンクから排出される排水は、ｐＨ調整のために注入された薬液から生じる塩などの濃縮成分を含むため、排水処理を施すことで濃縮成分を取り除く必要がある。ここで、フラッシュタンクから排出される排水の量が多い場合では、大型の排水処理装置が必要となるため、設備コストやその運用コストが高くなる。更に、系統から排出された分の水を系統中に補給するために大型の純水製造装置の設置に要する設備コストやその運用コストが必要となる。したがって、従来の蒸気タービンプラントでは、排水処理や純水補給に係る設備コストや運用コストが高くなるという問題がある。
【０００７】
本発明はこのような事情を考慮してなされたものであって、排水処理や純水供給に係る設備コストや運用コストを抑えた蒸気タービンプラントを提供することを目的とする。
【課題を解決するための手段】
【０００８】
上記課題を解決するため、本発明は以下の手段を採用している。
本発明の一の態様に係る蒸気タービンプラントは、蒸気を発生させるボイラと、前記ボイラで発生した蒸気で駆動される蒸気タービンと、前記蒸気タービンから排気された蒸気を水に戻す復水器と、前記復水器から前記ボイラに水を供給する給水ラインと、前記復水器に水を補給する補給水供給部と、前記給水ライン中にアンモニアを注入する薬液注入部と、前記ボイラから排出されたブロー水を前記補給水供給部に戻すリサイクルラインと、前記補給水供給部内の水を、前記リサイクルラインに混入する減温水ラインと、を備える。
【０００９】
上記構成によれば、薬液注入部によって給水ラインに注入される薬液がアンモニアであることにより、ブロー水に対して特別な処理をすることなく、ボイラに供給する水として利用することができる。そこで、上記構成では、リサイクルラインによって、ボイラから排出されたブロー水を補給水供給部に戻す。補給水供給部に戻された水を給水ラインに供給することで、これを再び蒸気タービンプラントの運転に供することができる。
さらに、減温水ラインを介して、前記補給水供給部内の水をリサイクルラインに混入することができる。
本発明の一の態様に係る蒸気タービンプラントは、蒸気を発生させるボイラと、前記ボイラで発生した蒸気で駆動される蒸気タービンと、前記蒸気タービンから排気された蒸気を水に戻す復水器と、前記復水器から前記ボイラに水を供給する給水ラインと、前記復水器に水を補給する補給水供給部と、前記給水ライン中にアンモニアを注入する薬液注入部と、前記ボイラから排出されたブロー水を前記補給水供給部に戻すリサイクルラインと、前記補給水供給部内の水を冷却する冷却部と、を備える。
上記構成によれば、薬液注入部によって給水ラインに注入される薬液がアンモニアであることにより、ブロー水に対して特別な処理をすることなく、ボイラに供給する水として利用することができる。そこで、上記構成では、リサイクルラインによって、ボイラから排出されたブロー水を補給水供給部に戻す。補給水供給部に戻された水を給水ラインに供給することで、これを再び蒸気タービンプラントの運転に供することができる。
さらに、前記補給水供給部内の水を冷却することができる。
さらに、本発明の一の態様に係る蒸気タービンプラントは、前記補給水供給部内の水を、前記リサイクルラインに混入する減温水ラインを備えてもよい。
上記構成によれば、減温水ラインを介して、前記補給水供給部内の水をリサイクルラインに混入することができる。
【００１０】
さらに、本発明の一の態様に係る蒸気タービンプラントは、前記ボイラから排出されたブロー水が流入するフラッシュタンクを更に備え、前記リサイクルラインは、前記ボイラから前記フラッシュタンクにブロー水を送るブロー水ラインと、前記フラッシュタンク内のブロー水を、前記フラッシュタンクから前記補給水供給部に送るリサイクル主ラインと、を備えてもよい。
【００１１】
上記構成によれば、フラッシュタンク内部でブロー水の一部が再蒸気化する。再蒸気化しないブロー水は、前述したようにリサイクルラインを介して給水ラインに供給されるため、蒸気タービンプラントの運転に供することができる。一方で、再蒸気化した蒸気は復水器に供給され、復水器により水に戻される。
【００１６】
さらに、本発明の一の態様に係る蒸気タービンプラントは、前記復水器から前記ボイラに供給される水のｐＨ値を計測する計測部と、前記計測部によって計測されたｐＨ値が予め定められた範囲内に収まるように前記アンモニアの注入量を制御する制御部と、を備えてもよい。
【００１７】
上記構成によれば、制御部は、ボイラに供給される水のｐＨ値に基づいて、アンモニアの注入量を制御することができる。これにより、蒸気タービンプラントの運転に供される水のｐＨ値を予め定められた範囲内で維持することができる。
【００１８】
さらに、本発明の一の態様に係る蒸気タービンプラントは、前記ボイラで発生した蒸気を、前記蒸気タービン以外の外部設備に供給する蒸気取出ラインと、前記リサイクルライン上に設けられて、前記リサイクルラインを通る水を純水化する純水化装置と、を備えてもよい。
【００１９】
上記構成によれば、蒸気取出ラインによって取り出された蒸気を、蒸気タービン以外の外部設備で使用することができる。さらに、蒸気が取り出されることで給水ラインを流れる水の流量が増え、給水ラインにおける塩類などの異物の含有量が増えた場合であっても、リサイクルライン中の純水化装置によってこれを取り除くことができる。
【発明の効果】
【００２０】
本発明に係る蒸気タービンプラントによれば、排水処理や純水供給に係る設備コストや運用コストを抑えた蒸気タービンプラントを提供することができる。
【図面の簡単な説明】
【００２１】
【図１】本発明の第一実施形態に係る蒸気タービンプラントの系統図である。
【図２】本発明の第二実施形態に係る蒸気タービンプラントの系統図である。
【発明を実施するための形態】
【００２２】
［第一実施形態］
以下、本発明の第一実施形態に係る蒸気タービンプラント１について、図面を参照して説明する。
図１に示すように、蒸気タービンプラント１は、蒸気を発生させるボイラ２と、この蒸気によって駆動される蒸気タービン３と、蒸気タービン３から排気された蒸気を水に戻す復水器４と、復水器４からボイラ２に水（給水）を供給する給水ライン５と、復水器４に水（補給水）を供給する補給水供給部６と、給水ライン５にアンモニアを注入する薬液注入部７と、を備えている。さらに、この蒸気タービンプラント１は、ボイラ２から排出（ブロー）されたブロー水を補給水供給部６に戻すリサイクルライン８を備えている。
【００２３】
ボイラ２は、節炭器２１と、蒸気ドラム２２と、過熱器２３と、を備えている。節炭器２１は、ボイラ２に供給された給水を予熱する。蒸気ドラム２２は、予熱された給水を加熱することで、蒸気を発生させる。過熱器２３は、蒸気ドラム２２内の蒸気を過熱し、より高い熱エネルギーを持つ過熱蒸気を生成する。この過熱蒸気は、後述の蒸気タービン３に供給されて、この蒸気タービン３を駆動する。
【００２４】
蒸気タービン３は、蒸気供給ライン２４によってボイラ２と接続されている。ボイラ２で発生した蒸気は、この蒸気供給ライン２４を通じて蒸気タービン３に供給される。蒸気タービン３は、高圧タービン、中圧タービン、低圧タービン等を備えている。
【００２５】
さらに、蒸気タービン３には、その回転軸に対して機械的に接続された発電機１００が設けられている。蒸気タービン３の回転軸が回転することで、発電機１００が駆動されて、電力を発生する。この電力は外部に取り出されて種々の電力機器等（不図示）に利用される。
【００２６】
蒸気タービン３から排出された蒸気は、復水器４に送出される。復水器４では、蒸気タービン３が排出した蒸気に対して、例えば海水等の冷却水を用いて熱交換を行う。熱交換された蒸気は凝縮されて水に戻る。復水器４で生成された水は、給水ライン５を介して給水ポンプ５Ｐにより再びボイラ２に供給される。
【００２７】
補給水供給部６は、復水器４に水（補給水）を供給するための装置である。より詳細には、補給水供給部６は、補給水が貯留される補給水タンク６１と、補給水タンク６１に純水を供給する純水供給部６２と、を備えている。
【００２８】
純水供給部６２は、不図示の水源から供給される水から、ろ過等によって不純物を除去することで純水を生成する装置である。純水供給部６２によって生成された純水は、補給水タンク６１に貯留される。補給水タンク６１に貯留された純水は、補給水として補給水ライン９１を経て復水器４に供給される。
【００２９】
さらに、補給水タンク６１には、内部の純水を冷却するための冷却部９が設けられている。補給水タンク６１には、減温水ライン９３が設けられている。減温水ライン９３は、補給水タンク６１と、後述のリサイクル主ライン８２とを接続している。
【００３０】
薬液注入部７は、給水ライン５に薬液であるアンモニアを注入するための装置である。具体的には、薬液注入部７は、アンモニアを貯留する薬液タンク７１と、薬液タンク７１内のアンモニアを給水ライン５に注入する薬液注入ポンプ７２と、薬液注入ポンプ７２の吐出量を調整する制御部７３と、給水ライン５を流れる給水のｐＨを計測する計測部７４と、を備えている。
【００３１】
アンモニアは、薬液タンク７１内では液相状態で貯留されている。このアンモニアは、薬液注入ポンプ７２により給水ライン５に注入される。薬液注入ポンプ７２は、定量ポンプであり、制御部７３によってその吐出量が調整される。制御部７３は信号線を介して計測部７４と接続されている。これにより、制御部７３には給水ライン５を流れる給水のｐＨの実測値が電気信号として入力される。
【００３２】
制御部７３には、予め定められたｐＨ値の範囲が記憶されている。制御部７３は、給水ライン５を流れる給水のｐＨ値がこの予め定められた範囲内に収まるように薬液注入ポンプ７２の吐出量を調整する。例えば、計測部７４によって計測されたｐＨ値（実測値）が予め定められた範囲のｐＨ値よりも小さい場合には、制御部７３は薬液注入ポンプ７２の吐出量を多くする方向に調整する。反対に、ｐＨ値（実測値）が予め定められた範囲のｐＨ値よりも大きい場合には、制御部７３は薬液注入ポンプ７２の吐出量を少なくする方向に調整する。
【００３３】
さらに、本実施形態に係る蒸気タービンプラント１は、ボイラ２から排出されたブロー水が流入するフラッシュタンクＦＴと、このブロー水を補給水供給部６に戻すリサイクルライン８を備えている。
【００３４】
リサイクルライン８は、蒸気ドラム２２からブロー水を送るブロー水ライン８１と、フラッシュタンクＦＴ内の液相成分を補給水供給部６に送るリサイクル主ライン８２を備えている。フラッシュタンクＦＴ内では、蒸気ドラム２２からのブロー水の一部が、再蒸気化したブロー蒸気とブロー水（液相成分）に分離して存在している。
【００３５】
フラッシュタンクＦＴ内の液相成分のブロー水のみが、リサイクル主ライン８２を経て、補給水タンク６１に流れる。リサイクル主ライン８２を流れるブロー水は、補給水タンク６１から減温水ライン９３を介して混入される純水により減温される。補給水タンク６１に貯留された純水は、冷却部９により冷却されているため、リサイクル主ライン８２を流れるブロー水に冷却部９によって冷却された冷却水が混入される。
【００３６】
フラッシュタンクＦＴには、復水器４と接続されたブロー蒸気ライン８３が設けられている。ブロー蒸気ライン８３には、フラッシュタンクＦＴで再蒸気化したブロー蒸気が復水器４に流れる。ブロー蒸気ライン８３を通じて復水器４に供給されたブロー蒸気は熱交換され水に戻される。
【００３７】
続いて、以上のように構成された蒸気タービンプラント１の動作について説明する。まず、ボイラ２にて発生させた蒸気を蒸気タービン３に供給する。蒸気タービン３は、供給された蒸気によって回転し、その回転軸に接続された発電機１００を駆動させる。
【００３８】
蒸気タービン３から排気された蒸気は、復水器４に送られる。復水器４では熱交換により蒸気を凝縮させ水に戻す。この水は給水として、給水ライン５を経てボイラ２に送水される。ボイラ２では、この給水を加熱し蒸気を発生させる。このように、蒸気タービンプラント１を運転することで、復水器４からボイラ２に給水ライン５を介して給水が流れる。
【００３９】
ここで、蒸気タービンプラント１では、給水ライン５の配管に炭素鋼が用いられているため、給水による腐食に対する措置が要求される。このような措置として、薬液注入部７による薬液の注入が行われる。薬液としては、給水のｐＨを調整するためにアンモニアが用いられる。給水ライン５を流れる給水は、アンモニアによってアルカリ性に維持される。
【００４０】
薬液注入部７における薬液タンク７１には、アンモニアが液相状態で貯留されている。薬液タンク７１から供給された薬液は、薬液注入ポンプ７２を通じて給水ライン５におけるボイラ２の上流に注入される。給水ライン５上には、計測部７４が設けられている。この計測部７４は給水ライン５を流れる給水中におけるアンモニアのｐＨを計測する。このｐＨ値に応じて制御部７３では、薬液注入ポンプ７２の吐出量を調整する。その結果、アンモニアにより給水のｐＨが調整され管理されるため、給水ライン５を構成する配管内部の腐食を抑制することができる。また、この給水が供給されるボイラ２において、蒸気ドラム２２内のドラム水のｐＨを適切に管理することができる。
【００４１】
このように薬液注入ポンプ７２によって給水中に注入されたアンモニアは、ボイラ２の蒸気ドラム２２内のドラム水から気化して蒸気と共に蒸気タービン３へ送られる。そして、気化されたアンモニアは、蒸気と共に蒸気タービン３から排気され復水器４に送られる。復水器４内において、気化されたアンモニアは、熱交換により凝縮され液相状態に戻る。ここで、復水器４内は、真空ポンプ（不図示）により常に真空状態に維持されている。このため、復水器４に送られた気化されたアンモニアの一部が真空ポンプにより復水器４外に排気される。薬液注入部７は、給水ライン５を流れる給水が予め定められたｐＨ値の範囲内に収まるように、復水器４から排気された分のアンモニアが給水ライン５に注入される。
【００４２】
また、蒸気タービンプラント１では、不要な水を蒸気ドラム２２から排出している。例えば、ボイラ起動時のスウェリング防止や、系統外から混入した物質による水質悪化のために蒸気ドラム２２から水（ブロー水）が排出される。このようにして水が排出されると、その分の補給水が補給水供給部６から供給される。補給水供給部６から補給水が供給される場合でも、薬液注入部７は、給水ライン５を流れる給水が予め定められたｐＨ値の範囲内に収まるようにアンモニアを給水ライン５に注入する。
【００４３】
補給水供給部６における補給水タンク６１には、純水供給部６２によって供給された純水（補給水）が貯留されている。この補給水は、補給水ライン９１を通って復水器４に供給される。補給水の供給を行うに際して、補給水供給部６では、補給水弁９２を開放して補給水を供給する。補給水弁９２としては、開度を調節することで流量を調節できる弁装置が用いられる。
【００４４】
上述のように、補給水供給部６によって補給水を供給する一方で、蒸気タービンプラント１の運転状況や、給水ライン５を流れる給水の水質悪化に応じて、ブロー水が排出される。具体的には、ボイラ２の蒸気ドラム２２からフラッシュタンクＦＴにブロー水が排出される。ブロー水の一部は、フラッシュタンクＦＴ内で再蒸気化される。再蒸気化されたブロー蒸気は、ブロー蒸気ライン８３によって、復水器４に流入する。復水器４で熱交換されることにより、ブロー蒸気は再び水に戻される。
【００４５】
一方で、再蒸気化しないブロー水は、フラッシュタンクＦＴからリサイクル主ライン８２を通じて、補給水タンク６１に戻される。補給水タンク６１に戻されたブロー水は、再び復水器４に補給水として供給されたのち、復水器４から給水ライン５に供給されることで、給水として再利用される。
【００４６】
ここで、ｐＨ調整のために注入される薬液として、リン酸ナトリウムを用いる構成を採った場合、リン酸ナトリウムはボイラ２内でも気化しないため蒸気ドラム２２内で濃縮される。そして、蒸気ドラム２２から排出されフラッシュタンクＦＴ内に貯留されたブロー水は、再蒸気化される。これにより、更にリン酸ナトリウムが濃縮される。したがって、フラッシュタンクＦＴ内のブロー水を排水処理施設等で処理する必要があり、排水処理に要する設備コストや運用コストが高くなる。
【００４７】
しかしながら、本実施形態では、薬液注入部７によって給水ライン５に注入される薬液がアンモニアであることにより、ブロー水に対して特別な排水処理をすることなく、給水ライン５にブロー水を戻すことができる。すなわち、本実施形態では、ボイラ２内で気化可能なアンモニアのみでｐＨ調整を行っているので、このブロー水を給水ライン５に戻すことができる。
【００４８】
そこで、本実施形態に係る蒸気タービンプラント１では、フラッシュタンクＦＴからブロー水を補給水供給部６（補給水タンク６１）に戻すリサイクルライン８（リサイクル主ライン８２）を設け、ブロー水を給水の一部として再利用する。これにより、蒸気タービンプラント１の純水供給に係る設備コストや運用コストを抑えることができる。さらに、再利用するブロー水の一部を、ガスタービンにおいて吸気する空気中に噴射することにより、ガスタービンの出力を向上させることもできる。ブロー水を噴射することにより、吸気温度が低下するため、ガスタービンの吸気の質量流量が増える。これにより、ガスタービンの出力が向上する。
【００４９】
さらに、本実施形態に係る蒸気タービンプラント１では、リサイクル主ライン８２にブロー水を減温する減温水ライン９３が接続されている。リサイクル主ライン８２には、蒸気ドラム２２から排出された比較的に高温のブロー水が補給水供給部６に流れる。補給水供給部６内で５０℃〜６０℃を超える温水状態のブロー水が貯留されると、補給水供給部６内の設備が劣化するおそれがある。また、この高温のブロー水により補給水タンク６１に貯留された補給水が温水状態になると、この補給水が供給される復水器４内の水（復水）の温度が高くなる可能性がある。復水の温度が高くなると復水器４の効率が下がるため、真空度も考慮して復水の温度を３０℃〜３５℃程度にする必要がある。このため、減温水ライン９３を介して補給水タンク６１の純水を減温水として混入させることで、リサイクル主ライン８２に流れるブロー水を減温することができる。また、補給水タンク６１に冷却部９を設け、冷却部９により貯留された純水を冷却することで、減温水として用いる補給水タンク６１の純水の量を少なくさせることができる。
【００５０】
制御部７３は、ボイラ２に供給される給水のｐＨ値に基づいて、アンモニアの注入量を制御することができる。これにより、蒸気タービンプラント１の運転に供される水のｐＨ値を予め定められた範囲内に収めることができる。
【００５１】
以上、本発明の実施形態について図面を参照して詳述したが、上述の実施形態における各構成及びそれらの組み合わせ等は一例であり、本発明の趣旨から逸脱しない範囲内で、構成の付加、省略、置換、及びその他の変更が可能である。
【００５２】
上述の実施形態では、給水ライン５に注入する薬液をアンモニアとして説明したが、アンモニアとヒドラジンを併用するようにしても良い。
また、例えば、上述の実施形態では、計測部７４としてｐＨ計を用いた例を説明した。ｐＨ計は、例えば、給水ライン５を流れる給水の導電率を計測することで、給水の性質を計測するものである。しかしながら、計測部７４の態様はこれに限定されず、水のｐＨを計測できる限りにおいては、いかなる装置を用いても良い。
【００５３】
［第二実施形態］
続いて、本発明の第二実施形態について、図２を参照して説明する。
図２に示すように、本実施形態に係る蒸気タービンプラント１では、上述の第一実施形態に比較して、以下の点で異なる特徴を有している。すなわち、本実施形態に係る蒸気タービンプラント１では、ボイラ２と蒸気タービン３とを接続する蒸気供給ライン２４上に、蒸気取出ライン２０１が設けられている。さらに、この蒸気取出ライン２０１には、蒸気によって駆動される、蒸気タービン３以外の外部設備２００が接続されている。具体的な外部設備２００の例としては、蒸気による熱を利用して稼働する蒸気暖房設備等が考えられる。
さらに、本実施形態に係る蒸気タービンプラント１には、リサイクル主ライン８２上に純水化装置２０２が設けられている。純水化装置２０２は、例えば、水に含まれる塩を除去するための脱塩装置である。
【００５４】
この純水化装置２０２は以下の目的で設けられる。すなわち、本実施形態に係る蒸気タービンプラント１では、蒸気供給ライン２４中の蒸気が蒸気取出ライン２０１によって取り出されて外部設備２００に供給される。このとき、ボイラ２に供給される給水、又は蒸気の量は、外部設備２００を設けない場合に比して増大する。
【００５５】
蒸気消費量の増大を補完するために、補給水供給部６によって供給される補給水の量も、第一実施形態に比して増加する。補給水の供給量を増やした場合、これに伴って給水ライン５を流れる給水に含まれる塩類の蓄積量も増大する。
【００５６】
そこで、本実施形態に係る蒸気タービンプラント１では、上述のようにリサイクル主ラインを流れるブロー水を純水化する純水化装置２０２が設けられている。これにより、塩類が除去されるため、給水ライン５を流れる給水の水質を安定した状態で維持することができる。これにより、蒸気タービンプラント１の運用コストを抑えるとともに、より安定的にこれを運用することができる。
【符号の説明】
【００５７】
１…蒸気タービンプラント  ２…ボイラ  ３…蒸気タービン  ４…復水器  ５…給水ライン  ６…補給水供給部  ７…薬液注入部  ８…リサイクルライン  ９…冷却部  ２１…節炭器  ２２…蒸気ドラム  ２３…過熱器  ２４…蒸気供給ライン  ２５…復水ライン  ６１…補給水タンク  ６２…純水供給部  ７１…薬液タンク  ７２…弁  ７３…制御部  ７４…計測部  ８１…ブロー水ライン  ８２…リサイクル主ライン  ８３…ブロー蒸気ライン  ＦＴ…フラッシュタンク  ９１…補給水ライン  ９２…補給水弁  ９３…減温水ライン  １００…発電機  ２００…外部設備  ２０１…蒸気取出ライン  ２０２…純水化装置
【図１】
0006349593.tif 000002
【図２】
0006349593.tif 000003